【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
所定条件が成立すると遊技者が有利な特典状態に移行する特典状態移行手段と、
該特典状態移行手段による特典状態への移行に係る演出を演出表示装置に表示する演出表示手段と、
遊技者が操作可能な操作手段と、を備えた遊技機であって、
所定期間内に遊技者が前記操作手段を所定回数連打すると前記特典状態へ移行するか否か、又は該特典状態への移行の期待度を報知する連打演出手段を備え、
該連打演出手段は、前記所定期間内において遊技者が前記操作手段を所定時間押下し続けると、当該押下を続けた該所定時間内において自動で前記連打を継続する自動連打手段を含み、
該自動連打手段は、第１自動連打と、該第１自動連打とは異なる間隔で前記連打を行う第２自動連打とを備え、前記特典状態へ移行するか否か、又は該特典状態への移行の期待度に応じて前記第１自動連打又は前記第２自動連打のいずれかを実施し、
前記第１自動連打の前記間隔を前記第２自動連打の前記間隔よりも小さくし、
前記自動連打手段が前記第２自動連打を実施すると、前記特典状態へ移行する、又は前記第１自動連打を実施する場合よりも前記特典状態に移行する期待度が高く、
遊技者による前記操作手段の連打時、及び前記第２自動連打の実施時には第１効果音を出力し、前記第１自動連打の実施時には第２効果音を出力する
ことを特徴とする遊技機。
【請求項２】
所定条件が成立すると遊技者が有利な特典状態に移行する特典状態移行手段と、
該特典状態移行手段による特典状態への移行に係る演出を演出表示装置に表示する演出表示手段と、
遊技者が操作可能な操作手段と、を備えた遊技機であって、
所定期間内に前記操作手段を連続して操作する連打を行うと、該操作手段を操作する毎に抽選し、該抽選が当選すると前記特典状態へ移行するか否か、又は該特典状態への移行の期待度を報知する連打演出手段を備え、
該連打演出手段は、前記所定期間内において遊技者が前記操作手段を所定時間押下し続けると、当該押下を続けた該所定時間内において自動で前記連打を継続する自動連打手段を含み、
該自動連打手段は、第１自動連打と、該第１自動連打とは異なる間隔で前記連打を行う第２自動連打とを備え、前記特典状態へ移行するか否か、又は該特典状態への移行の期待度に応じて前記第１自動連打又は前記第２自動連打のいずれかを実施し、
前記第１自動連打の前記間隔を前記第２自動連打の前記間隔よりも小さくし、
前記自動連打手段が前記第２自動連打を実施すると、前記特典状態へ移行する、又は前記第１自動連打を実施する場合よりも前記特典状態に移行する期待度が高く、
遊技者による前記操作手段の連打時、及び前記第２自動連打の実施時には第１効果音を出力し、前記第１自動連打の実施時には第２効果音を出力する
ことを特徴とする遊技機。
【請求項３】
請求項１に記載の遊技機において、
前記連打演出は、前記自動連打手段による前記連打と遊技者による前記連打とで前記報知を実施する前記所定回数を異なる回数とする
ことを特徴とする遊技機。
【請求項４】
請求項２に記載の遊技機において、
前記連打演出は、前記自動連打手段による前記連打と遊技者による前記連打とで前記報知を実施する前記抽選を異なる確率とする
ことを特徴とする遊技機。
【手続補正２】
【補正対象書類名】明細書
【補正対象項目名】０００９
【補正方法】変更
【補正の内容】
【０００９】
請求項１記載の弾球遊技機は、
所定条件が成立すると遊技者が有利な特典状態に移行する特典状態移行手段と、
該特典状態移行手段による特典状態への移行に係る演出を演出表示装置に表示する演出表示手段と、
遊技者が操作可能な操作手段と、を備えた遊技機であって、
所定期間内に遊技者が前記操作手段を所定回数連打すると前記特典状態へ移行するか否か、又は該特典状態への移行の期待度を報知する連打演出手段を備え、
該連打演出手段は、前記所定期間内において遊技者が前記操作手段を所定時間押下し続けると、当該押下を続けた該所定時間内において自動で前記連打を継続する自動連打手段を含み、
該自動連打手段は、第１自動連打と、該第１自動連打とは異なる間隔で前記連打を行う第２自動連打とを備え、前記特典状態へ移行するか否か、又は該特典状態への移行の期待度に応じて前記第１自動連打又は前記第２自動連打のいずれかを実施し、
前記第１自動連打の前記間隔を前記第２自動連打の前記間隔よりも小さくし、
前記自動連打手段が前記第２自動連打を実施すると、前記特典状態へ移行する、又は前記第１自動連打を実施する場合よりも前記特典状態に移行する期待度が高く、
遊技者による前記操作手段の連打時、及び前記第２自動連打の実施時には第１効果音を出力し、前記第１自動連打の実施時には第２効果音を出力する
ことを特徴とする弾球遊技機である。
【手続補正３】
【補正対象書類名】明細書
【補正対象項目名】００１５
【補正方法】変更
【補正の内容】
【００１５】
請求項２記載の弾球遊技機は、
所定条件が成立すると遊技者が有利な特典状態に移行する特典状態移行手段と、
該特典状態移行手段による特典状態への移行に係る演出を演出表示装置に表示する演出表示手段と、
遊技者が操作可能な操作手段と、を備えた遊技機であって、
所定期間内に前記操作手段を連続して操作する連打を行うと、該操作手段を操作する毎に抽選し、該抽選が当選すると前記特典状態へ移行するか否か、又は該特典状態への移行の期待度を報知する連打演出手段を備え、
該連打演出手段は、前記所定期間内において遊技者が前記操作手段を所定時間押下し続けると、当該押下を続けた該所定時間内において自動で前記連打を継続する自動連打手段を含み、
該自動連打手段は、第１自動連打と、該第１自動連打とは異なる間隔で前記連打を行う第２自動連打とを備え、前記特典状態へ移行するか否か、又は該特典状態への移行の期待度に応じて前記第１自動連打又は前記第２自動連打のいずれかを実施し、
前記第１自動連打の前記間隔を前記第２自動連打の前記間隔よりも小さくし、
前記自動連打手段が前記第２自動連打を実施すると、前記特典状態へ移行する、又は前記第１自動連打を実施する場合よりも前記特典状態に移行する期待度が高く、
遊技者による前記操作手段の連打時、及び前記第２自動連打の実施時には第１効果音を出力し、前記第１自動連打の実施時には第２効果音を出力する
ことを特徴とする遊技機である。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】変更
【補正の内容】
【００１８】
請求項３記載の弾球遊技機は、
請求項１に記載の遊技機において、
前記連打演出は、前記自動連打手段による前記連打と遊技者による前記連打とで前記報知を実施する前記所定回数を異なる回数とする
ことを特徴とする遊技機である。
【手続補正７】
【補正対象書類名】明細書
【補正対象項目名】００１９
【補正方法】変更
【補正の内容】
【００１９】
請求項４記載の弾球遊技機は、
請求項２に記載の遊技機において、
前記連打演出は、前記自動連打手段による前記連打と遊技者による前記連打とで前記報知を実施する前記抽選を異なる確率とする
ことを特徴とする遊技機である。
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】変更
【補正の内容】
【００２３】
請求項３に記載の遊技機によれば、請求項１と同様の効果を奏しながら、自動連打は手動連打とは連打速度が異なるため、自動連打の連打速度に合ったタイミングで期待度又は当否の報知を行うことができる。また、連打操作を自動にして楽にした分、クリアする条件を困難にすることで遊技のバランスが均等になる。
【手続補正１０】
【補正対象書類名】明細書
【補正対象項目名】００２４
【補正方法】変更
【補正の内容】
【００２４】
請求項４に記載の遊技機によれば、請求項２と同様の効果を奏しながら、自動連打は手動連打とは連打速度が異なるため、自動連打の連打速度に合ったタイミングで期待度又は当否の報知を行うことができる。また、連打操作を自動にして楽にした分、クリアする条件を困難にすることで遊技のバランスが均等になる。